(57)【特許請求の範囲】
【請求項１】
室の内部に配設されたショーケースの冷凍機の排熱を処理するための装置であって、
駆動することにより前記室に設けられた第１導入口を通じて外気を導入し、かつ前記冷凍機の周囲に前記外気を通過させる第１外気導入手段と、
駆動することにより前記室に設けられた第２導入口より外気を導入する第２外気導入手段と、
前記第１外気導入手段を駆動させて前記冷凍機の周囲を通過した外気を前記室に設けられた排出口より外部に排出するとともに、前記第２外気導入手段を駆動させて導入された外気を前記室の所定域に供給する第１供給状態と、前記第１外気導入手段のみを駆動させて前記冷凍機の周囲を通過した外気を前記所定域に供給する第２供給状態と、前記第１外気導入手段を駆動させて前記冷凍機の周囲を通過した外気と前記第２外気導入手段を駆動させて導入された外気とを混合させて前記所定域に供給する第３供給状態とのいずれか１つを択一的に選択する制御手段と
を備えたことを特徴とする排熱処理装置。
【請求項２】
前記制御手段は、前記室の温湿度から演算された内部エンタルピが予め設定された管理範囲にあってかつ該室の温湿度の設定値に一致する場合において、前記内部エンタルピが前記室の外部の温湿度から演算された外部エンタルピ以上となるときには前記第３供給状態を選択する一方、前記内部エンタルピが前記外部エンタルピ未満となるときには前記第１供給状態を選択することを特徴とする請求項１に記載の排熱処理装置。
【請求項３】
前記制御手段は、前記室の温湿度から演算された内部エンタルピが予め設定された管理範囲にあってかつ該室の温湿度の設定値未満となる場合には、前記第２供給状態を選択することを特徴とする請求項１又は請求項２に記載の排熱処理装置。
【請求項４】
前記制御手段は、前記室の温湿度から演算された内部エンタルピが予め設定された管理範囲にあってかつ該室の温湿度の設定値を上回る場合には、前記第１供給状態を選択することを特徴とする請求項１〜３のいずれか１つに記載の排熱処理装置。
【請求項５】
前記制御手段は、前記室の温湿度から演算された内部エンタルピが予め設定された管理範囲の上限値を上回る場合には、前記第１供給状態を選択することを特徴とする請求項１〜４のいずれか１つに記載の排熱処理装置。
【請求項６】
前記制御手段は、前記室の温湿度から演算された内部エンタルピが予め設定された管理範囲の下限値を下回る場合には、前記第２供給状態を選択することを特徴とする請求項１〜５のいずれか１つに記載の排熱処理装置。
【発明の詳細な説明】
【技術分野】
【０００１】
本発明は、排熱処理装置に関し、より詳細には、例えば店舗等の室の内部に配設されたショーケースの冷凍機の排熱を処理するための装置に関するものである。
【背景技術】
【０００２】
従来、例えば店舗等の室の内部に配設されたショーケースの冷凍機の排熱を処理するための排熱処理装置が特許文献１に提案されている。この排熱処理装置では、ショーケースが店内とバックヤードとを区画するエリアに配設されており、店内に設置された空調装置が暖房運転を行う場合には、バックヤード内若しくは店内の空気をショーケースの冷凍機の周囲に通過させて該空気に該冷凍機の排熱を回収させてから店内に供給することで該空調装置の加熱負荷を低減させていた。その一方、上記空調装置が冷房運転を行う場合又は上記空調運転が停止中の場合には、バックヤード内若しくは店内の空気をショーケースの冷凍機の周囲に通過させて該空気に該冷凍機の排熱を回収させて外部に排出していた。
【先行技術文献】
【特許文献】
【０００３】
【特許文献１】特開平７−１２４４６号公報
【発明の概要】
【発明が解決しようとする課題】
【０００４】
ところが、上述した特許文献１に提案されている排熱処理装置では、バックヤード内若しくは店内の空気をショーケースの冷凍機の周囲に通過させるようにしていたので、バックヤード等に外気を導入するための開口を必要とする。そして、外気を導入するための開口の開口面積を十分に確保できない場合、あるいは冷凍機の周囲を通過させる空気量を増大させた場合には、店内等の室の内部が陰圧となってしまい、室の出入口等から内部に塵埃物の侵入を促進させてしまう虞れがあった。
【０００５】
本発明は、上記実情に鑑みて、室の内部を陽圧にして塵埃物の侵入を抑制しながら、冷凍機の排熱を良好に処理することができる排熱処理装置を提供することを目的とする。
【課題を解決するための手段】
【０００６】
上記目的を達成するために、室の内部に配設されたショーケースの冷凍機の排熱を処理するための装置であって、駆動することにより前記室に設けられた第１導入口を通じて外気を導入し、かつ前記冷凍機の周囲に前記外気を通過させる第１外気導入手段と、駆動することにより前記室に設けられた第２導入口より外気を導入する第２外気導入手段と、前記第１外気導入手段を駆動させて前記冷凍機の周囲を通過した外気を前記室に設けられた排出口より外部に排出するとともに、前記第２外気導入手段を駆動させて導入された外気を前記室の所定域に供給する第１供給状態と、前記第１外気導入手段のみを駆動させて前記冷凍機の周囲を通過した外気を前記所定域に供給する第２供給状態と、前記第１外気導入手段を駆動させて前記冷凍機の周囲を通過した外気と前記第２外気導入手段を駆動させて導入された外気とを混合させて前記所定域に供給する第３供給状態とのいずれか１つを択一的に選択する制御手段とを備えたことを特徴とする。
【０００７】
また本発明は、上記排熱処理装置において、前記制御手段は、前記室の温湿度から演算された内部エンタルピが予め設定された管理範囲にあってかつ該室の温湿度の設定値に一致する場合において、前記内部エンタルピが前記室の外部の温湿度から演算された外部エンタルピ以上となるときには前記第３供給状態を選択する一方、前記内部エンタルピが前記外部エンタルピ未満となるときには前記第１供給状態を選択することを特徴とする。
【０００８】
また本発明は、上記排熱処理装置において、前記制御手段は、前記室の温湿度から演算された内部エンタルピが予め設定された管理範囲にあってかつ該室の温湿度の設定値未満となる場合には、前記第２供給状態を選択することを特徴とする。
【０００９】
また本発明は、上記排熱処理装置において、前記制御手段は、前記室の温湿度から演算された内部エンタルピが予め設定された管理範囲にあってかつ該室の温湿度の設定値を上回る場合には、前記第１供給状態を選択することを特徴とする。
【００１０】
また本発明は、上記排熱処理装置において、前記制御手段は、前記室の温湿度から演算された内部エンタルピが予め設定された管理範囲の上限値を上回る場合には、前記第１供給状態を選択することを特徴とする。
【００１１】
また本発明は、上記排熱処理装置において、前記制御手段は、前記室の温湿度から演算された内部エンタルピが予め設定された管理範囲の下限値を下回る場合には、前記第２供給状態を選択することを特徴とする。
【発明の効果】
【００１２】
本発明によれば、制御手段が、第１外気導入手段を駆動させて冷凍機の周囲を通過した外気を室に設けられた排出口より外部に排出するとともに、第２外気導入手段を駆動させて導入された外気を室の所定域に供給する第１供給状態と、第１外気導入手段のみを駆動させて冷凍機の周囲を通過した外気を所定域に供給する第２供給状態と、第１外気導入手段を駆動させて冷凍機の周囲を通過した外気と第２外気導入手段を駆動させて導入された外気とを混合させて所定域に供給する第３供給状態とのいずれか１つを択一的に選択するので、室内に外気を供給することとなり室の内部を陽圧に保持することができる。しかも、冷凍機からの排熱を室内の所定域に供給する場合には、室の内部の空調を制御する空調装置の負荷を低減させることで消費電力の低減化を図ることができる。従って、室の内部を陽圧にして塵埃物の侵入を抑制しながら、冷凍機の排熱を良好に処理することができるという効果を奏する。
【図面の簡単な説明】
【００１３】
【図１】図１は、本発明の実施の形態である排熱処理装置を模式的に示す説明図である。
【図２】図２は、本発明の実施の形態である排熱処理装置の特徴的な制御系を示す説明図である。
【図３】図３は、図２に示した制御手段が実施する供給状態選択処理の処理内容を示すフローチャートである。
【図４】図４は、第３供給状態における外気の流れを示す説明図である。
【図５】図５は、第１供給状態における外気の流れを示す説明図である。
【図６】図６は、第２供給状態における外気の流れを示す説明図である。
【発明を実施するための形態】
【００１４】
以下に添付図面を参照して、本発明に係る排熱処理装置の好適な実施の形態について詳細に説明する。
【００１５】
図１は、本発明の実施の形態である排熱処理装置を模式的に示す説明図であり、図２は、本発明の実施の形態である排熱処理装置の特徴的な制御系を示す説明図である。ここで例示する排熱処理装置は、例えば店舗１等の室に配設されたショーケース２の排熱処理を行うものである。このショーケース２は、いわゆるオープンショーケースと称されるものであり、前面開口を臨む収納室３に商品を所望の温度状態に保持して収納するものである。
【００１６】
排熱処理装置は、第１外気導入手段１０及び第２外気導入手段２０を備えている。第１外気導入手段１０は、第１外気導入ライン１１と第１送風ファン１２とを備えて構成されている。
【００１７】
第１外気導入ライン１１は、店舗１に形成された第１導入口１３からショーケース２の冷凍機１４の周囲を通過する風路であり、連結ダクト３０の入口ポート３１に連通している。ここでショーケース２の冷凍機１４は、ショーケース２に内蔵されるものであり、圧縮機１４ａと凝縮器１４ｂとを備えている。この冷凍機１４は、収納室３の内部空気を冷却する図示せぬ蒸発器と冷凍サイクルを構成するものである。
【００１８】
また、連結ダクト３０は、入口ポート３１の他に第１出口ポート３２及び第２出口ポート３３を有しており、ダンパ３４を内蔵している。ダンパ３４は、後述する制御手段６０から与えられる指令に基づいて、入口ポート３１と第１出口ポート３２とを連通させる第１連通状態と、入口ポート３１と第２出口ポート３３とを連通させる第２連通状態との間で切り替わるものである。
【００１９】
連結ダクト３０の第１出口ポート３２には排気ライン４１が連通している。排気ライン４１は、店舗１に形成された排気口４２に至る風路である。また、連結ダクト３０の第２出口ポート３３には供給ライン５１が連通している。供給ライン５１は、店舗１における所定域に至る風路である。
【００２０】
第１送風ファン１２は、第１外気導入ライン１１上に配設されており、より詳細には、ショーケース２の冷凍機１４を構成する凝縮器１４ｂの近傍に配設されている。この第１送風ファン１２は、制御手段６０から与えられる指令に基づいて駆動するものである。
【００２１】
第２外気導入手段２０は、第２外気導入ライン２１と第２送風ファン２２とを備えて構成されている。
【００２２】
第２外気導入ライン２１は、店舗１に形成された第２導入口２３から供給ライン５１に合流する態様で延設された風路である。
【００２３】
第２送風ファン２２は、第２外気導入ライン２１上に配設されている。この第２送風ファン２２は、制御手段６０から与えられる指令に基づいて駆動するものである。
【００２４】
本実施の形態である排熱処理装置は、上記構成の他、店内温湿度センサＳ１、店外温湿度センサＳ２及び制御手段６０を備えている。
【００２５】
店内温湿度センサＳ１は、店舗１の内部に配設されており、店舗１内の温度及び湿度を検出するものである。店外温湿度センサＳ２は、店舗１の外部に配設されており、店外の温度及び湿度を検出するものである。
【００２６】
制御手段６０は、メモリ７０に記憶されたプログラムやデータに従って排熱処理装置の動作を統括的に制御するものであり、入力処理部６１、エンタルピ演算部６２、比較判定部６３、選択部６４及び出力処理部６５を備えている。
【００２７】
ここで、メモリ７０には、種々の情報が予め記憶されており、管理範囲情報が記憶されている。管理範囲情報は、不快指数に基づいた店内温湿度の管理範囲に関するものであり、エンタルピ値として上限値及び下限値が定められている。
【００２８】
入力処理部６１は、店内温湿度センサＳ１及び店外温湿度センサＳ２から与えられる温湿度信号を入力するものであり、また空調制御部１００から与えられる空調設定情報を入力するものである。ここで空調制御部１００は、店舗１内に設置された図示せぬ空調装置の動作を統括的に制御するものである。また、空調設定情報は、現時点における空調装置の温湿度の設定値に関する情報である。
【００２９】
エンタルピ演算部６２は、店内温湿度センサＳ１及び店外温湿度センサＳ２のそれぞれから与えられる温度及び湿度の各データから店内エンタルピ及び店外エンタルピをそれぞれ演算するものである。
【００３０】
比較判定部６３は、店内エンタルピと与えられた各種情報の値とを比較する処理を行うとともに、店内エンタルピと店外エンタルピとを比較する処理を行うものである。
【００３１】
選択部６４は、予め設定された第１供給状態、第２供給状態及び第３供給状態のいずれか１つを択一的に選択する処理を行うものである。これら第１供給状態、第２供給状態及び第３供給状態については後述する。
【００３２】
出力処理部６５は、選択部６４で選択された供給状態に応じて第１送風ファン１２、第２送風ファン２２及びダンパ３４に対して指令を与えるものである。尚、本実施の形態においては、出力処理部６５は、ショーケース２の冷凍機１４が駆動している場合には、第１送風ファン１２を常時駆動させている。
【００３３】
図３は、図２に示した制御手段６０が実施する供給状態選択処理の処理内容を示すフローチャートである。この処理について説明しながら排熱処理装置の動作について説明する。
【００３４】
この供給状態選択処理において制御手段６０は、店内温湿度を入力した場合、すなわち入力処理部６１を通じて店内温湿度センサＳ１から与えられる温湿度信号を入力した場合（ステップＳ１０１：Ｙｅｓ）、エンタルピ演算部６２を通じて店内エンタルピを演算する（ステップＳ１０２）。
【００３５】
店内エンタルピを演算した制御手段６０は、比較判定部６３を通じて、メモリ７０から管理範囲情報を読み出し（ステップＳ１０３）、店内エンタルピと管理範囲情報に含まれる上限値及び下限値とを比較する（ステップＳ１０４，ステップＳ１０５）。
【００３６】
店内エンタルピが管理範囲にある場合、すなわち店内エンタルピが下限値以上上限値以下である場合（ステップＳ１０４：Ｙｅｓ，ステップＳ１０５：Ｙｅｓ）、制御手段６０は、入力処理部６１を通じて空調制御部１００からの空調設定情報の入力待ちとなる（ステップＳ１０６）。
【００３７】
そして、入力処理部６１を通じて空調設定情報を入力した場合（ステップＳ１０６：Ｙｅｓ）、制御手段６０は、比較判定部６３を通じて店内エンタルピが空調設定情報に含まれる設定値と一致するか否かを比較する（ステップＳ１０７）。
【００３８】
店内エンタルピが設定値と一致する場合（ステップＳ１０７：Ｙｅｓ）、制御手段６０は、入力処理部６１を通じて店外温湿度センサＳ２から与えられる温湿度信号の入力待ちとなる（ステップＳ１０８）。
【００３９】
店外温湿度を入力した場合、すなわち入力処理部６１を通じて店外温湿度センサＳ２から与えられる温湿度信号を入力した場合（ステップＳ１０８：Ｙｅｓ）、制御手段６０はエンタルピ演算部６２を通じて店外エンタルピを演算する（ステップＳ１０９）。
【００４０】
店外エンタルピを演算した制御手段６０は、比較判定部６３を通じて、店内エンタルピが店外エンタルピ以上であるか否かを比較する（ステップＳ１１０）。
【００４１】
店内エンタルピが店外エンタルピ以上である場合（ステップＳ１１０：Ｙｅｓ）、制御手段６０は、選択部６４を通じて第３供給状態を選択して（ステップＳ１１１）、手順をリターンさせて今回の処理を終了する。
【００４２】
これによれば、第３供給状態を選択したので、制御手段６０は、出力処理部６５を通じてダンパ３４に指令を与えて該ダンパ３４を第２連通状態にする。つまり入口ポート３１と第２出口ポート３３とを連通させる。そして、制御手段６０は、出力処理部６５を通じて第１送風ファン１２及び第２送風ファン２２を駆動させる。
【００４３】
この場合、図４に示すように、第１導入口１３から導入された外気が第１外気導入ライン１１を通過することでショーケース２の冷凍機１４の周囲を通過する。これにより、外気と冷凍機１４（凝縮器１４ｂ）を通過する冷媒との間で熱交換が行われ、外気が加熱される。これにより冷凍機１４の排熱を外気が吸収している。排熱を吸収することで加熱された外気は、連結ダクト３０を通じて供給ライン５１を通過する。その一方、第２導入口２３から導入された外気が第２外気導入ライン２１を通過して供給ライン５１に至る。これにより、供給ライン５１にて第１導入口１３から導入されて排熱を吸収した外気と、第２導入口２３から導入された外気とが混合して店舗１内の所定域に供給される。
【００４４】
この結果、排熱を外気の熱と混合させて所定域に供給して店舗１内の温度と湿度とを管理範囲に維持することができ、排熱により空調装置の負荷を低減させて消費電力の低減化を図ることができる。しかも、外気を所定域に供給するので、店舗１内を陽圧に保持することができる。
【００４５】
上記ステップＳ１１０において、店内エンタルピが店外エンタルピ未満である場合（ステップＳ１１０：Ｎｏ）、制御手段６０は、選択部６４を通じて第１供給状態を選択して（ステップＳ１１２）、手順をリターンさせて今回の処理を終了する。
【００４６】
これによれば、第１供給状態を選択したので、制御手段６０は、出力処理部６５を通じてダンパ３４に指令を与えて該ダンパ３４を第１連通状態にする。つまり入口ポート３１と第１出口ポート３２とを連通させる。そして、制御手段６０は、出力処理部６５を通じて第１送風ファン１２及び第２送風ファン２２を駆動させる。
【００４７】
この場合、図５に示すように、第１導入口１３から導入された外気が第１外気導入ライン１１を通過することでショーケース２の冷凍機１４の周囲を通過する。これにより、外気と冷凍機１４（凝縮器１４ｂ）を通過する冷媒との間で熱交換が行われ、外気が加熱される。これにより冷凍機１４の排熱を外気が吸収している。排熱を吸収することで加熱された外気は、連結ダクト３０を通じて排気ライン４１を通過し、その後に排気口４２より外部に排出される。その一方、第２導入口２３から導入された外気が第２外気導入ライン２１を通過して供給ライン５１に至り、該供給ライン５１を通過して店舗１内の所定域に供給される。
【００４８】
この結果、排熱を外気に放出して、外気を所定域に供給して換気を行いつつ、店舗１内を陽圧に保持することができる。
【００４９】
上記ステップＳ１０７において、店内エンタルピが設定値と一致せずに設定値未満である場合（ステップＳ１０７：Ｎｏ，ステップＳ１１３：Ｙｅｓ）、制御手段６０は、選択部６４を通じて第２供給状態を選択して（ステップＳ１１４）、手順をリターンさせて今回の処理を終了する。
【００５０】
これによれば、第２供給状態を選択したので、制御手段６０は、出力処理部６５を通じてダンパ３４に指令を与えて該ダンパ３４を第２連通状態にする。つまり入口ポート３１と第２出口ポート３３とを連通させる。そして、制御手段６０は、出力処理部６５を通じて第１送風ファン１２のみを駆動させる。
【００５１】
この場合、図６に示すように、第１導入口１３から導入された外気が第１外気導入ライン１１を通過することでショーケース２の冷凍機１４の周囲を通過する。これにより、外気と冷凍機１４（凝縮器１４ｂ）を通過する冷媒との間で熱交換が行われ、外気が加熱される。これにより冷凍機１４の排熱を外気が吸収している。排熱を吸収することで加熱された外気は、連結ダクト３０を通じて供給ライン５１を通過し、店舗１内の所定域に供給される。
【００５２】
この結果、排熱を所定域に供給して空調装置の負荷を低減させて消費電力の低減化を図ることができる。しかも、外気を所定域に供給するので、店舗１内を陽圧に保持することができる。
【００５３】
一方、店内エンタルピが設定値を超える場合（ステップＳ１０７：Ｎｏ，ステップＳ１１３：Ｎｏ）、制御手段６０は、選択部６４を通じて第１供給状態を選択して（ステップＳ１１５）、手順をリターンさせて今回の処理を終了する。
【００５４】
これによれば、第１供給状態を選択したので、制御手段６０は、出力処理部６５を通じてダンパ３４に指令を与えて該ダンパ３４を第１連通状態にする。つまり入口ポート３１と第１出口ポート３２とを連通させる。そして、制御手段６０は、出力処理部６５を通じて第１送風ファン１２及び第２送風ファン２２を駆動させる。
【００５５】
この場合、図５に示すように、第１導入口１３から導入された外気が第１外気導入ライン１１を通過することでショーケース２の冷凍機１４の周囲を通過する。これにより、外気と冷凍機１４（凝縮器１４ｂ）を通過する冷媒との間で熱交換が行われ、外気が加熱される。これにより冷凍機１４の排熱を外気が吸収している。排熱を吸収することで加熱された外気は、連結ダクト３０を通じて排気ライン４１を通過し、その後に排気口４２より外部に排出される。その一方、第２導入口２３から導入された外気が第２外気導入ライン２１を通過して供給ライン５１に至り、該供給ライン５１を通過して店舗１内の所定域に供給される。
【００５６】
この結果、排熱を外気に放出して、外気を所定域に供給して換気を行いつつ、店舗１内を陽圧に保持することができる。
【００５７】
ところで、上記ステップＳ１０２で延在した店内エンタルピがステップＳ１０３で読み出した管理範囲情報の上限値を上回る場合（ステップＳ１０４：Ｎｏ）、制御手段６０は、選択部６４を通じて第１供給状態を選択して（ステップＳ１１６）、手順をリターンさせて今回の処理を終了する。
【００５８】
これによれば、第１供給状態を選択したので、制御手段６０は、出力処理部６５を通じてダンパ３４に指令を与えて該ダンパ３４を第１連通状態にする。つまり入口ポート３１と第１出口ポート３２とを連通させる。そして、制御手段６０は、出力処理部６５を通じて第１送風ファン１２及び第２送風ファン２２を駆動させる。
【００５９】
この場合、図５に示すように、第１導入口１３から導入された外気が第１外気導入ライン１１を通過することでショーケース２の冷凍機１４の周囲を通過する。これにより、外気と冷凍機１４（凝縮器１４ｂ）を通過する冷媒との間で熱交換が行われ、外気が加熱される。これにより冷凍機１４の排熱を外気が吸収している。排熱を吸収することで加熱された外気は、連結ダクト３０を通じて排気ライン４１を通過し、その後に排気口４２より外部に排出される。その一方、第２導入口２３から導入された外気が第２外気導入ライン２１を通過して供給ライン５１に至り、該供給ライン５１を通過して店舗１内の所定域に供給される。
【００６０】
この結果、排熱を外気に放出して、外気を所定域に供給して換気を行いつつ、店舗１内を陽圧に保持することができる。
【００６１】
一方、上記ステップＳ１０２で延在した店内エンタルピがステップＳ１０３で読み出した管理範囲情報の下限値を下回る場合（ステップＳ１０４：Ｙｅｓ，ステップＳ１０５：Ｎｏ）、制御手段６０は、選択部６４を通じて第２供給状態を選択して（ステップＳ１１７）、手順をリターンさせて今回の処理を終了する。
【００６２】
これによれば、第２供給状態を選択したので、制御手段６０は、出力処理部６５を通じてダンパ３４に指令を与えて該ダンパ３４を第２連通状態にする。つまり入口ポート３１と第２出口ポート３３とを連通させる。そして、制御手段６０は、出力処理部６５を通じて第１送風ファン１２のみを駆動させる。
【００６３】
この場合、図６に示すように、第１導入口１３から導入された外気が第１外気導入ライン１１を通過することでショーケース２の冷凍機１４の周囲を通過する。これにより、外気と冷凍機１４（凝縮器１４ｂ）を通過する冷媒との間で熱交換が行われ、外気が加熱される。これにより冷凍機１４の排熱を外気が吸収している。排熱を吸収することで加熱された外気は、連結ダクト３０を通じて供給ライン５１を通過し、店舗１内の所定域に供給される。
【００６４】
この結果、排熱を所定域に供給して空調装置の負荷を低減させて消費電力の低減化を図ることができる。しかも、外気を所定域に供給するので、店舗１内を陽圧に保持することができる。
【００６５】
以上説明したように、本発明の実施の形態である排熱処理装置においては、制御手段６０が、第１供給状態、第２供給状態及び第３供給状態のいずれか１つを択一的に選択するので、店舗１内に外気を供給することとなり店舗１内を陽圧に保持することができる。しかも、冷凍機１４からの排熱を店舗１内の所定域に供給する場合には、空調装置の負荷を低減させることで消費電力の低減化を図ることができる。従って、店舗１の内部を陽圧にして塵埃物の侵入を抑制しながら、冷凍機１４の排熱を良好に処理することができる。
【００６６】
また、上記排熱処理装置によれば、店舗１内の温度と湿度とにより演算されるエンタルピを用いて店舗１内の雰囲気の状態を判断しているので、空調装置の駆動等に関係なく、より緻密に店舗１内の雰囲気を判断して冷凍機１４の排熱を処理することができる。
【００６７】
以上、本発明の好適な実施の形態について説明したが、本発明はこれに限定されるものではなく、種々の変更を行うことができる。すなわち、本発明においては、第１外気導入手段や第２外気導入手段等の構成については特に限定されず、導入した外気を所望の経路にて送風させることができればどのような構成であってもよい。
【符号の説明】
【００６８】
１  店舗（室）
２  ショーケース
１０  第１外気導入手段
１１  第１外気導入ライン
１２  第１送風ファン
１３  第１導入口
１４  冷凍機
１４ａ  圧縮機
１４ｂ  凝縮器
２０  第２外気導入手段
２１  第２外気導入ライン
２２  第２送風ファン
２３  第２導入口
３０  連結ダクト
３４  ダンパ
４１  排気ライン
４２  排気口
５１  供給ライン
６０  制御手段
６１  入力処理部
６２  エンタルピ演算部
６３  比較判定部
６４  選択部
６５  出力処理部
７０  メモリ
Ｓ１  店内温湿度センサ
Ｓ２  店外温湿度センサ
【図１】
0006402509.tif 000002
【図２】
0006402509.tif 000003
【図３】
0006402509.tif 000004
【図４】
0006402509.tif 000005
【図５】
0006402509.tif 000006
【図６】
0006402509.tif 000007